(57)【特許請求の範囲】
【請求項１】
電動送風機を内蔵する電気掃除機本体に連通するように接続されると共に、塵埃を吸引する為の電気掃除機用吸込具において、前記電気掃除機用吸込具は、吸引通路を有する本体、及び前記本体にたいして回動可能に装着された筒状体を有すると共に、前記筒状体は外周面に複数の突起を有し、該突起の先端部及び前記筒状体の外周面に前記本体の吸引通路に連通する吸引穴が形成されてあり、前記突起の先端部の吸引穴が形成された平面が前記筒状体の円周方向にたいして傾斜角度を有するように形成されてあることを特徴とする電気掃除機用吸込具。
【請求項２】
請求項１記載の構成よりなる電気掃除機用吸込具において、前記突起は概円錐形状、概角錐形状あるいは外周面に少なくとも１つの稜を有する異形錐形状にて形成されてあることを特徴とする電気掃除機用吸込具。
【請求項３】
請求項１又は２記載の構成よりなる電気掃除機用吸込具において、前記本体に前記吸引穴を遮蔽する為の遮蔽手段が形成されてあることを特徴とする電気掃除機用吸込具。
【請求項４】
請求項１から３のいずれか１項に記載の構成よりなる電気掃除機用吸込具において、少なくとも前記本体の外周面、前記突起の吸引穴の外周部、あるいは前記突起の側面のいずれかに凸状の掻出片が形成されてあることを特徴とする電気掃除機用吸込具。
【請求項５】
請求項１から４のいずれか１項に記載の構成よりなる電気掃除機用吸込具において、前記筒状体の回動を規制する為の回動規制手段が形成されてあることを特徴とする電気掃除機用吸込具。
【請求項６】
請求項１から５のいずれか１項に記載の構成よりなる電気掃除機用吸込具において、前記突起が熱可塑性エラストマーあるいは合成樹脂発泡体にて形成されてあることを特徴とする電気掃除機用吸込具。
【請求項７】
請求項１から６のいずれか１項に記載の構成よりなる電気掃除機用吸込具において、前記本体の外周面のいずれかに前記本体の吸引通路に連通する吸引穴が形成されてあることを特徴とする電気掃除機用吸込具。
【請求項８】
吸引力を発生させる電動送風機、集塵を捕集する集塵室、及び請求項１から７のいずれか１項に記載の電気掃除機用吸込具を備えた電気掃除機。
【発明の詳細な説明】
【技術分野】
【０００１】
本発明は、被掃除面の塵埃等を吸引する為の電気掃除機用吸込具、及びそれを用いた電気掃除機に関するものである。
【背景技術】
【０００２】
従来の電気掃除機用吸込具に関しては、使用目的に応じて、様々な改良がなされ、例えば、真空掃除機の吸引管に取り付けて使用する吸込具であって、中空箱型の吸引ヘッドを有し、該吸引ヘッドの下面に、櫛歯としての機能を持つ複数の突起と、該突起で掻き出した塵埃を吸い込む為の複数の吸引穴とを設けてなることを特徴とする真空掃除機用吸込具が、真空掃除機用吸込具として、特開平６−３４３５８６号公報に開示されてある。
【０００３】
また、例えば、電気掃除機本体に接続され、下方を開口した床ノズル本体と、前記床ノズル本体内部に床面に臨んで設けられたアジテータと、前記床ノズル本体内部に設けられ前記アジテータに駆動力を与える駆動源とを具備し、前記アジテータは回転子の周囲にブレードを配するとともに、ブレードの少なくとも一側面には前記回転子の半径方向に細長くかつ先端部に溝を配した突起を複数列設けた掃除機用床ノズルが、掃除機用床ノズルとして、特開平８−１６４０９８号公報に開示されてある。
【０００４】
【特許文献１】特開平６−３４３５８６号公報
【特許文献２】特開平８−１６４０９８号公報
【発明の開示】
【発明が解決しようとする課題】
【０００５】
従来の電気掃除機用吸込具に関しては、例えば、上記の如くの各種の特徴を有する技術が開示されてあるが、特開平６−３４３５８６号公報においては、吸込具を絨毯等の被掃除面に押し当てて前方に移動させる事により、突起で被掃除面の毛を梳くようにしながら塵埃を吸引している。その為、被掃除面の毛が密集して形成されてある場合、あるいは被掃除面の毛腰が強く形成されてある場合には、吸込具を被掃除面の毛に押し当てた時のみは、吸引ヘッドの下面が被掃除面と隙間無く接触して毛の根元近くの塵埃を吸引する事が可能であるが、吸込具を前方に移動させた時は、櫛歯の機能を有する突起が毛の抵抗力に負ける事により、吸引ヘッドが被掃除面から乗り上げてしまい、吸引ヘッドの下面と被掃除面との間に、隙間ができる為、毛の根元近くの塵埃を吸引する事が不可能になると共に、被掃除面の表面の塵埃を吸引する事も困難になるという課題を有していた。
【０００６】
また、吸込具を前方に移動させた時に、突起が毛の抵抗力に負けなかった場合には、突起が被掃除面の毛の引張強度等よりも大きな力を加える事により、毛切れ、毛抜け等が発生して、被掃除面を損傷させるという課題を有していた。
【０００７】
また、被掃除面の毛の根元近くの塵埃を連続的に吸引する為には、吸込具を被掃除面に押し当てた後、極めて少しだけ前方に移動させ、再び押し当てるという操作を繰り返す事が必要であり、極めて非効率的、かつ多大な掃除時間を要するという
課題を有していた。
【０００８】
また、特開平８−１６４０９８号公報においては、床ノズル本体内部に床面に臨んで設けられたアジテータは、回転子の周囲にブレードを配するとともに、ブレードの少なくとも一側面に、回転子の半径方向に細長くかつ先端部に溝を配した突起が複数列設けられてあるが、複数列設けられてある突起は、回転子の周囲に形成されたブレードの側面に配設されてある構造の為、各々の突起が絨毯のパイルの底部に接触する事ができない。その為、底面の塵埃を吸引する事が極めて困難であるという課題を有していた。
【０００９】
また、塵埃等を吸引する為の開口は、床ノズル本体の下方に形成されてあり、アジテータを回転させる事によりブレードを絨毯のパイルに叩き付け、パイルから剥離した塵埃を開口から吸引する構造の為、絨毯表面に比べて、内部になる程、吸引力が低下する。その為、絨毯に付着した塵埃は、パイルから剥離できた場合においても、絨毯の内部になる程、開口から吸引される事がより困難となり、再びパイルに付着してしまうという課題を有していた。
【００１０】
本発明は、上記のような課題を解決するためになされたもので、絨毯のパイル等の被掃除面の表面、内部、及び底部に付着した塵埃を確実に吸引除去できる、塵埃除去性能に優れた電気掃除機用吸込具及び電気掃除機を提供することを目的としている。
【課題を解決するための手段】
【００１１】
請求項１の発明は、電動送風機を内蔵する電気掃除機本体に連通するように接続されると共に、塵埃を吸引する為の電気掃除機用吸込具において、前記電気掃除機用吸込具は、吸引通路を有する本体、及び前記本体にたいして回動可能に装着された筒状体を有すると共に、前記筒状体は外周面に複数の突起を有し、該突起の先端部及び前記筒状体の外周面に前記本体の吸引通路に連通する吸引穴が形成されてあり、前記突起の先端部の吸引穴が形成された平面が前記筒状体の円周方向にたいして傾斜角度を有するように形成されてあることに特徴を有する。
【００１２】
請求項２の発明は、請求項１記載の構成よりなる電気掃除機用吸込具において、前記突起は概円錐形状、概角錐形状あるいは外周面に少なくとも１つの稜を有する異形錐形状にて形成されてあることに特徴を有する。
【００１３】
請求項３の発明は、請求項１又は２記載の構成よりなる電気掃除機用吸込具において、前記吸引穴は前記突起の先端部に形成されてあることに特徴を有する。
【００１４】
請求項４の発明は、請求項１から３のいずれか１項に記載の構成よりなる電気掃除機用吸込具において、前記本体に前記吸引穴を遮蔽する為の遮蔽手段が形成されてあることに特徴を有する。
【００１５】
請求項５の発明は、請求項１から４のいずれか１項に記載の構成よりなる電気掃除機用吸込具において、少なくとも前記本体の外周面、前記突起の吸引穴の外周部、あるいは前記突起の側面のいずれかに凸状の掻出片が形成されてあることに特徴を有する。
【００１６】
請求項６の発明は、請求項１から５のいずれか１項に記載の構成よりなる電気掃除機用吸込具において、前記筒状体の回動を規制する為の回動規制手段が形成されてあることに特徴を有する。
【００１７】
請求項７の発明は、請求項１から６のいずれか１項に記載の構成よりなる電気掃除機用吸込具において、前記突起が熱可塑性エラストマーあるいは合成樹脂発泡体にて形成されてあることに特徴を有する。
【００１８】
請求項８の発明は、請求項１から７のいずれか１項に記載の構成よりなる電気掃除機用吸込具において、前記本体の外周面のいずれかに前記本体の吸引通路に連通する吸引穴が形成されてあることに特徴を有する。
【００１９】
請求項９の発明は、吸引力を発生させる電動送風機、集塵を捕集する集塵室、及び請求項１から８のいずれか１項に記載の電気掃除機用吸込具を備えた電気掃除機に特徴を有する。
【００２１】
上記第１の課題解決手段による作用は次の通りである。すなわち、電気掃除機用吸込具は、本体を、絨毯等の被掃除面上を前後に移動させる事により、本体にたいして回動可能に装着された筒状体が、被掃除面の表面を接触しながら回動する。筒状体の外周面には、複数の突起が形成されてある為、複数の突起は絨毯のパイルの内部に入り込むと共に、突起の先端は、パイルの底部に到達する。突起の外周面には、本体の吸引通路に連通する吸引穴が形成されてある為、絨毯のパイルの底部に付着した塵埃は、吸引穴から本体の吸引通路を介して、電気掃除機本体に吸引される。また、突起は、絨毯のパイルの表面、内部、底部、内部、表面の順にて連続的に回動しながら前後に移動する為、絨毯のパイルの表面、内部、底部のいずれの箇所に付着した塵埃であっても、吸引穴から本体の吸引通路を介して、電気掃除機本体に吸引される。なお、上記にて記載した吸引穴が形成されてある突起の外周面とは、突起の先端まで外周面の範囲に含まれているものである。
【００２２】
上記第２の課題解決手段による作用は次の通りである。すなわち、第１の課題解決手段の電気掃除機用吸込具において、突起が概円錐形状、概角錐形状あるいは外周面に少なくとも１つの稜を有する異形錐形状にて形成されてある。概円錐形状、概角錐形状あるいは外周面に少なくとも１つの稜を有する異形錐形状の突起は、絨毯のパイルの表面を、上から押し潰す事無く、パイルの隙間から内部に入り込んで、パイルの底部に到達する。また、概角錐形状あるいは外周面に少なくとも１つの稜を有する異形錐形状にて形成されてある突起は外周面に角部を有する為、角部がパイルに付着した塵埃を掻き出す事により、被掃除面の表面、内部、底部のパイルに付着した塵埃が、パイルから剥離する。また、錐形状の突起は、例えば櫛歯形状の突起に比べて、突起がパイルの内部に入り込んで底部に到達し、再び表面に出てくるまでの一連の操作時における、突起のパイルにたいする抵抗力が低減される。その為、突起がパイルに絡み付かない。また、本体は、極めて弱い操作力にて前後に移動される。
【００２３】
上記第３の課題解決手段による作用は次の通りである。すなわち、第１及び第２の課題解決手段の電気掃除機用吸込具において、吸引穴が突起の先端部に形成されてある。突起がパイルの底部に到達した時には、突起の先端部の吸引穴から、底部に付着した塵埃が吸引される。また、突起の先端部が底部に接触した時には、塵埃は極めて近い距離に位置された吸引穴から本体の吸引通路を介して、電気掃除機本体に吸引される。
【００２４】
上記第４の課題解決手段による作用は次の通りである。すなわち、第１から第３の課題解決手段の電気掃除機用吸込具において、筒状体は外周面に複数の突起を有し、該突起の先端部及び前記筒状体の外周面に本体の吸引通路に連通する吸引穴が形成されてあり、前記突起の先端部の吸引穴が形成された平面が前記筒状体の円周方向にたいして傾斜角度を有するように形成されてある。この筒状体の円周方向にたいして傾斜角度を有するように形成された吸引穴は、突起の先端部が底部に接触した時には、底部にたいして傾斜角度を有して吸引穴の外周面の一部が接触する。吸引穴は、底部に吸い付く事が無く、底部の塵埃を効率的、かつ迅速に吸引する。また、傾斜角度を有する吸引穴の外周面はパイルに付着した塵埃を掻き出し、パイルに付着した塵埃がパイルから剥離する。
【００２５】
上記第５の課題解決手段による作用は次の通りである。すなわち、第１から第４の課題解決手段の電気掃除機用吸込具において、本体に吸引穴を遮蔽する為の遮蔽手段が形成されてある。遮蔽手段を有する本体は、絨毯に接触している吸引穴以外の吸引穴からの吸引を遮蔽する。その為、絨毯に接触している吸引穴のみから、遮蔽手段の無い場合に比べて、より強い吸引力にて、効率的に塵埃を吸引する。遮蔽手段としては、例えば、本体に筒状体に内接する内筒を形成すると共に、内筒の外周面に、内筒の長手方向にたいして平行な開口を形成し、本体の内筒の外周面に突起を有する筒状体の内周面を挿入する方法がある。前記の方法においては、絨毯の表面、内部、底部のパイルに付着した塵埃が絨毯に接触している吸引穴のみから本体のスリットを介して吸引通路に連通し、電気掃除機本体に吸引される。
【００２６】
上記第６の課題解決手段による作用は次の通りである。すなわち、第１から第５の課題解決手段の電気掃除機用吸込具において、少なくとも本体の外周面、突起の吸引穴の外周部、あるいは突起の側面のいずれかに、凸状の掻出片が形成されてある。凸状の掻出片を本体の外周面に形成した場合には、本体を前後に移動させる事により、掻出片はパイルの側面に接触して塵埃を掻き出す。また、配列の乱れたパイルは掻出片により梳かれて整列される。凸状の掻出片を突起の吸引穴の外周部あるいは突起の側面に形成した場合には、掻出片がパイルに付着した塵埃を掻き出す事により、被掃除面の表面、内部、底部のパイルに付着した塵埃が、パイルから剥離する。凸状の掻出片を突起の吸引穴の外周部に形成した場合には、掻出片がパイルの底部に付着した塵埃を掻き出す事により、被掃除面の底部に付着した塵埃が底部から剥離する。
【００２７】
上記第７の課題解決手段による作用は次の通りである。すなわち、第１から第６の課題解決手段の電気掃除機用吸込具において、筒状体の回動を規制する為の回動規制手段が形成されてある。回動規制手段により、筒状体は本体にたいして一時固定されるかあるいは回動時の抵抗が高く設定される。筒状体が本体にたいして一時固定された場合には、本体を前後に移動させる事により、筒状体に形成された突起が、パイルに付着した塵埃を掻き出す事により、被掃除面の表面、内部、底部のパイルに付着した塵埃が、パイルから剥離する。また、筒状体の回動時の抵抗が高く設定された場合には、筒状体に形成された突起が、パイルにたいして高い抵抗力にて接触し、パイルに付着した塵埃を掻き出すと共に、突起が連続的に被掃除面の表面、内部、底部のパイルに接触する。その為、被掃除面の表面、内部、底部のパイルに付着した塵埃がパイルから掻き出されると共に、連続的に剥離する。
【００２８】
上記第８の課題解決手段による作用は次の通りである。すなわち、第１から第７の課題解決手段の電気掃除機用吸込具において、突起が熱可塑性エラストマーあるいは合成樹脂発泡体にて形成されてある。熱可塑性エラストマーあるいは合成樹脂発泡体は、弾性を有している為、突起は、被掃除面の表面、内部、底部のパイルに接触して形状が変形する。変形した突起は、被掃除面の表面、内部、底部のパイルにたいして弾性が解除されるまで接触できる為、パイルに付着した塵埃がパイルから強力に掻き出される。また、変形した突起は、被掃除面の底部を傷つける事無く、変形した形状が元の形状に戻ろうとする反発力により、パイルを押し付けて、被掃除面の表面、内部、底部のパイルに付着した塵埃が、パイルから剥離する。
【００２９】
上記第９の課題解決手段による作用は次の通りである。すなわち、第１から第８の課題解決手段の電気掃除機用吸込具において、本体の外周面のいずれかに本体の吸引通路に連通する吸引穴が形成されてある。電気掃除機用吸込具を構成する本体は、電気掃除機用吸込具を絨毯等の被掃除面上を前後に移動させた時に、被掃除面の表面に本体の外周面を接触させながら移動させる。吸引穴は、本体の外周面に形成されてある為、絨毯のパイルの表面、内部、底部に付着した塵埃は、吸引穴から本体の吸引通路を介して、電気掃除機本体に吸引される。吸引穴の形成箇所は、外周面のいずれかであれば良いが、特に、本体の下面、筒状体の両側に形成されてある本体の下面等に形成する事が好適である。
【００３０】
上記第１０の課題解決手段による作用は次の通りである。すなわち、吸引力を発生させる電動送風機、集塵を捕集する集塵室、及び第１から第９の課題解決手段のいずれかの課題解決手段の電気掃除機用吸込具を備えた電気掃除機としたものである。第１０の課題解決手段の電気掃除機は、前記記載の作用を有する第１から第９の課題解決手段のいずれかの課題解決手段の電気掃除機用吸込具が備えられてあり集塵性能の優れた電気掃除機を提供できる。
【発明の効果】
【００３１】
本発明の電気掃除機用吸込具及び電気掃除機は、筒状体の外周面の複数の突起が絨毯のパイルの内部に入り込むと共に、突起の先端がパイルの底部に到達し、絨毯のパイルの表面、内部、底部のいずれの箇所に付着した塵埃であっても、塵埃は突起に形成された吸引穴から本体の吸引通路を介して、電気掃除機本体に吸引されるので、塵埃の除去性能に非常に優れたものである。
【発明を実施するための最良の形態】
【００３２】
第１の発明は、電動送風機を内蔵する電気掃除機本体に連通するように接続されると共に、塵埃を吸引する為の電気掃除機用吸込具において、前記電気掃除機用吸込具は、吸引通路を有する本体、及び前記本体にたいして回動可能に装着された筒状体を有すると共に、前記筒状体は外周面に複数の突起を有し、少なくとも前記突起の外周面あるいは前記筒状体の外周面のいずれかに前記本体の吸引通路に連通する吸引穴が形成されてある構成としたものであり、本体を絨毯等の被掃除面上を前後に移動する事により、筒状体を被掃除面の表面を接触しながら回動できる。また、筒状体の外周面に、複数の突起が形成されてある為、複数の突起が、絨毯のパイルの内部に入り込むと共に突起の先端がパイルの底部に到達できる。また、突起の外周面に、本体の吸引通路に連通する吸引穴が形成されてある為、絨毯のパイルの底部に付着した塵埃を、吸引穴から本体の吸引通路を介して、電気掃除機本体に吸引できる。また、突起は絨毯のパイルの表面、内部、底部、内部、表面の順にて連続的に回動しながら前後に移動できる為、絨毯のパイルの表面、内部、底部のいずれの箇所に付着した塵埃であっても、吸引穴から本体の吸引通路を介して、電気掃除機本体に吸引できる。
【００３３】
第２の発明は、特に第１の発明の突起が概円錐形状、概角錐形状あるいは外周面に少なくとも１つの稜を有する異形錐形状にて形成されてあるものであり、概円錐形状、概角錐形状あるいは外周面に少なくとも１つの稜を有する異形錐形状の突起は、絨毯のパイルの表面を、上から押し潰す事無く、パイルの隙間から内部に入り込んで、パイルの底部に到達できる。また、概角錐形状あるいは外周面に少なくとも１つの稜を有する異形錐形状の突起は外周面に角部を有する為、角部がパイルに付着した塵埃を掻き出す事により、被掃除面の表面、内部、底部のパイルに付着した塵埃を、パイルから剥離させる事ができる。また、錐形状の突起は、例えば櫛歯形状の突起に比べて、突起がパイルの内部に入り込んで底部に到達し、再び表面に出てくるまでの一連の移動時における、突起のパイルにたいする抵抗力を低減できる。その為、突起がパイルに絡み付く事を防止できる。また、本体を、極めて弱い操作力にて前後に移動する事ができる。
【００３４】
第３の発明は、特に第１及び第２の発明の吸引穴が突起の先端部に形成されてあるものであり、突起がパイルの底部に到達した時には、突起の先端部の吸引穴から底部に付着した塵埃を吸引する事ができる。また、突起の先端部が底部に接触した時には、塵埃は極めて近い距離に位置された吸引穴から本体の吸引通路を介して電気掃除機本体に吸引する事ができる。
【００３５】
第４の発明は、特に第１から第３の発明の筒状体は外周面に複数の突起を有し、該突起の先端部及び前記筒状体の外周面に本体の吸引通路に連通する吸引穴が形成されてあり、前記突起の先端部の吸引穴が形成された平面が前記筒状体の円周方向にたいして傾斜角度を有するように形成されてあるものであり、吸引穴は、突起の先端部が底部に接触した時には、底部にたいして傾斜角度を有して吸引穴の外周面の一部が接触する事ができる。また、吸引穴は、底部に吸い付く事が無く、底部の塵埃を効率的、かつ迅速に吸引する事ができる。また、傾斜角度を有する吸引穴の外周面は、パイルに付着した塵埃を掻き出し、パイルに付着した塵埃をパイルから剥離させる事ができる。
【００３６】
第５の発明は、特に第１から第４の発明の本体に吸引穴を遮蔽する為の遮蔽手段が形成されてあるものであり、遮蔽手段を有する本体は、絨毯に接触している吸引穴以外の吸引穴からの吸引を遮蔽する事ができる。その為、絨毯に接触している吸引穴のみから、遮蔽手段の無い場合に比べて、より強い吸引力にて、効率的に塵埃を吸引する事ができる。遮蔽手段としては、例えば、本体に筒状体に内接する内筒を形成すると共に、内筒の外周面に、内筒の長手方向にたいして平行な開口を形成し、本体の筒部の外周面に、突起を有する筒状体の内周面を挿入する方法を採用する事ができる。前記の方法においては、絨毯の表面、内部、底部のパイルに付着した塵埃を、絨毯に接触している吸引穴のみから、本体の内筒に形成された開口を介して、吸引通路に連通し、電気掃除機本体に吸引する事ができる。
【００３７】
第６の発明は、特に第１から第５の発明の少なくとも本体の外周面、突起の吸引穴の外周部、あるいは突起の側面のいずれかに凸状の掻出片が形成されてあるものであり、本体の外周面に形成された凸状の掻出片は、本体を前後に移動させる事により、パイルの側面に接触して塵埃を掻き出す事ができる。また、掻出片は、配列の乱れたパイルを梳く事により整列させる事ができる。また、突起の吸引穴の外周部あるいは突起の側面に形成された凸状の掻出片は、掻出片がパイルに付着した塵埃を掻き出す事により、被掃除面の表面、内部、底部のパイルに付着した塵埃を、パイルから剥離させる事ができる。また、突起の吸引穴の外周部に形成された凸状の掻出片は、掻出片がパイルの底部に付着した塵埃を掻き出す事により、被掃除面の底部に付着した塵埃を底部から剥離させる事ができる。
【００３８】
第７の発明は、特に第１から第６の発明の筒状体の回動を規制する為の回動規制手段が形成されてあるものである。回動規制手段により、筒状体は本体にたいして一時固定する事ができるかあるいは回動時の抵抗を高く設定できる。筒状体を本体にたいして一時固定した場合には、本体を前後に移動させる事により、筒状体に形成された突起が、パイルに付着した塵埃を掻き出す事により、被掃除面の表面、内部、底部のパイルに付着した塵埃をパイルから剥離させる事ができる。また、筒状体の回動時の抵抗を高く設定した場合には、筒状体に形成された突起が、パイルにたいして高い抵抗力にて接触し、パイルに付着した塵埃を掻き出す事ができると共に突起が連続的に被掃除面の表面、内部、底部のパイルに接触する事ができる。その為、被掃除面の表面、内部、底部のパイルに付着した塵埃をパイルから掻き出す事ができると共に、連続的に剥離させる事ができる。
【００３９】
第８の発明は、特に第１から第７の発明の突起が熱可塑性エラストマーあるいは合成樹脂発泡体にて形成されてあるものである。熱可塑性エラストマーあるいは合成樹脂発泡体は、弾性を有している為、突起は、被掃除面の表面、内部、底部のパイルに接触して形状が変形する事ができる。変形した突起は、被掃除面の表面、内部、底部のパイルにたいして弾性が解除されるまで接触できる為、パイルに付着した塵埃をパイルから強力に掻き出す事ができる。また、変形した突起は、被掃除面の底部を傷つける事が無い。また、突起は、変形した形状が元の形状に戻ろうとする反発力により、パイルを押し付ける事ができる為、被掃除面の表面、内部、底部のパイルに付着した塵埃を、パイルから強力に剥離させる事ができる。また、熱可塑性エラストマーあるいは合成樹脂発泡体は、例えば、ポリエチレン、ポリプロピレンなどのポリオレフィン、ポリウレタン、アクリル、塩化ビニル、シリコン、フッ素、ポリアミド、ポリアミノ酸、各種軟質ゴムなどの材質が使用できる。
【００４０】
第９の発明は、特に第１から第８の発明の本体の外周面のいずれかに本体の吸引通路に連通する吸引穴が形成されてあるものである。電気掃除機用吸込具を構成する本体は、電気掃除機用吸込具を絨毯等の被掃除面上を前後に移動させた時に、被掃除面の表面に本体の外周面を接触させながら移動させる事ができる。この時、吸引穴は本体の外周面に形成されてある為、絨毯のパイルの表面、内部、底部に付着した塵埃を、吸引穴から本体の吸引通路を介して、電気掃除機本体に吸引する事ができる。
【００４１】
第９の発明は、吸引力を発生させる電動送風機、集塵を捕集する集塵室、及び第１から第８の発明のいずれかの発明の電気掃除機用吸込具を備えた電気掃除機としたものであり、集塵性能の優れた電気掃除機を提供できる。
【００４２】
以下、本発明の実施の形態について図面を参照しながら説明する。なお、この実施の形態により本発明が限定されるものではない。
【実施例１】
【００４３】
以下に、本発明の実施例１における電気掃除機用吸込具について図１〜７を用いて説明する。図１は、実施例１における電気掃除機用吸込具を接続した電気掃除機の側面図、図２は、図１の電気掃除機用吸込具を前面側から見た斜視図、図３は、図１の電気掃除機用吸込具の使用時の断面図、図４は、他の実施の形態の突起の斜視図、図５は、図１の電気掃除機用吸込具の掻出片の使用時の詳細図、図６は、回動規制手段の詳細図、図７は、他の実施の形態の電気掃除機用吸込具を前面側から見た斜視図である。
【００４４】
図１において、１０は、電気掃除機の掃除機本体で、前部に塵埃を捕集する集塵室１１と、後部に電動送風機１２を内蔵した電動送風機室１３をそれぞれ備えている。１４は、一端が前記集塵室１１に連通するように掃除機本体１０に接続され、他端に延長管１５の一端が着脱自在に接続されるハンドルパイプ１４ａを有するホースである。延長管１５の上流側端部には、本実施の形態における電気掃除機用吸込具２０が接続されている。
【００４５】
電気掃除機用吸込具２０は、図２の如く、本体１、及び本体１にたいして回動可能に装着された筒状体２が形成されてある。本体１は、吸引通路１ａを有すると共に、掻出片１ｂが形成されてある。筒状体２は、概円筒形状に形成されてあり、外周面に複数の突起３が形成されてある。突起３の先端部には吸引穴３ａ、筒状体２の外周面には複数の吸引穴２ａが形成されてあり、吸引穴３ａ、及び吸引穴２ａは、本体１の吸引通路１ａに連通されてある。また、本体１の外周面には、略櫛歯形状の掻出片１ｂが形成されてある。
【００４６】
また、本体１は、図３の如く、筒状体２の内面に内筒１ｄが形成されてあり、内筒１ｄには吸引穴３ａ、及び吸引穴２ａに連通する開口１ｃが形成されてある。また、突起３は概円錐形状に形成されてあり、筒状体２の外周面に放射状になるように形成されてある。また、吸引穴３ａは、筒状体２の円周方向にたいして傾斜角度を有して形成されてある。
【００４７】
上記構成による実施例１における電気掃除機用吸込具２０の動作、作用は以下の通りである。
【００４８】
電気掃除機本体１０を運転し、ハンドルパイプ１４ａを操作して、電気掃除機用吸込具２０を絨毯上で操作すると、電気掃除機用吸込具２０の本体１にたいして装着された筒状体２が回転し、突起３が、絨毯６の内部に入り込んで、絨毯６のパイル６ａに付着した塵埃を掻き出し、塵埃が、吸引穴３ａ、及び吸引穴２ａから開口１ｃを通して、吸引通路１ａから電気掃除機本体１０に吸引される。
【００４９】
また、特に、突起３、吸引穴３ａ、及び吸引穴２ａの動作、作用について説明する。筒状体２が回転すると、図３（Ａ）に示すように、突起３が、絨毯６の表面６ｂから内部６ｃを通して底部６ｄに入り込む。突起３は、概円錐形状に形成されてある為絨毯６の表面６ｂに乗り上げる事無く、パイル６ａの間から内部６ｃに入り込む事ができる。この時、突起３の外周部、及び突起３の吸引穴３ａの外周部は、絨毯６の表面６ｂ、内部６ｃ、底部６ｄのパイル６ａに付着した塵埃を掻き出し、底部６ｄにて掻き出された塵埃３５は、吸引穴３ａから、開口１ｃを通して、吸引通路１ａに吸引される。また、絨毯６の表面６ｂに掻き出された塵埃３６は、吸引穴２ａから開口１ｃを通して吸引通路１ａに吸引される。
【００５０】
また、図３（Ｂ）に示すように、筒状体２が回転する事により、吸引穴３ａが絨毯６の内部６ｃに達した時には、内部６ｃに掻き出された塵埃３７が、吸引穴３ａから、開口１ｃを通して、吸引通路１ａに吸引される。
【００５１】
また、吸引穴３ａは、筒状体２の円周方向にたいして傾斜角度を有して形成されてある。その為、特に、突起３の先端に形成された吸引穴３ａの外周部は、パイル６ａの側面に当接して、パイル６ａを倒しながら塵埃３５をすくい上げ、ラフにあるゴルフボールをアイアンですくい上げるときの作用と同じ作用で、絨毯のパイル６ａに附着した塵埃３５をすくい上げるので、塵埃３５がパイル６ａから効率的に、かつ確実に取り除かれ、電気掃除機本体１０に吸引されていき、掃除性能が飛躍的に向上する。
【００５２】
また、吸引穴３ａは、筒状体２の円周方向にたいして傾斜角度を有して形成されてある為、絨毯６の底部６ｄに吸い付いてしまう事が無く、底部６ｄに当接した状態にて、底部６ｄの塵埃３５を吸引できる。
【００５３】
また、本体１に形成されてある内筒１ｄは、図４の（Ａ）の如く、開口１ｃ以外の外周部は、吸引穴３ａ、及び吸引穴２ａを遮蔽している為、内筒１ｄは、吸引穴３ａ、及び吸引穴２ａを遮蔽する為の遮蔽手段となっている。
【００５４】
また、実施例１では、突起３の形状は、先端部に吸引穴３ａを有する概円錐形状にて図示、及び説明してあるが、図４の如くの他の実施の形態も採用できる。突起２３は、図４の（Ａ）の如く、先端部に吸引穴２３ａを有する四角錐形状にて形成されてある。また、突起３３は、（Ｂ）の如く、先端部に吸引穴３３ａを有すると共に、２箇所の角部３３ｂを有する概半円形状の断面の異形錐形状にて形成されてある。また、突起６３は、図４の（Ｅ）の如く、斜面に細長形状の吸引穴６３ａを有する概偏平三角錐形状にて形成されてあると共に、角部６３ｂが形成されてある。また、突起の形状については、前記以外にも、三角形、四角形、五角形、六角形等の多角形、あるいは楕円形等、各種異形断面形状の断面を有する錐形状を、採用できる。また、突起の先端は、図４の（Ｃ）の如く、吸引穴の無い先端部４３ｂを形成する形態も採用できる。
【００５５】
また、実施例１では、吸引穴の形成箇所は、筒状体２の外周面、及び突起３の先端に形成されてあるが、図４の（Ｃ）の如くの他の実施の形態も採用できる。吸引穴４３ａは、突起４３の外周面の中間部に形成されてあり、吸引穴４３ｃは、突起４３の外周部の底面に形成されてある。吸引穴４３ａは、先端部４３ｂが絨毯６の底部６ｄに当接した時に、内部６ｃに付着した塵埃３７を吸引できる。
【００５６】
また、実施例１では、掻出片１ｂは、本体１の外周面に形成されてあったが、掻出片は、図４の（Ｄ）の如くの他の実施の形態も採用できる。図４の（Ｄ）において、他の実施の形態の掻出片５３ｆは、突起５３の吸引穴５３ａの外周部に複数形成されてある。また、他の実施の形態の掻出片５３ｇは、突起５３の側面に放射状に複数形成されてある。
【００５７】
次に、図５にて、掻出片１ｂの動作、作用について説明する。掻出片１ｂの使用時には、掻出片１ｂが絨毯６に当接するように本体１を設置して、筒状体２を回転させる。絨毯６のパイル６ａに付着した塵埃は、吸引穴３ａ、及び吸引穴２ａから開口１ｃを通して吸引通路１ａから吸引されると共に、略櫛歯形状にて形成されてある掻出片１ｂは、絨毯６のパイル６ａを梳くように当接する。その為、掻出片１ｂに梳かれたパイル６ａは、毛並みが整えられて整列する。
【００５８】
また、実施例１は、図６の（Ａ）あるいは（Ｂ）の如く、筒状体２の側面にたいして押付部材７、あるいは固定部材１７を当接させる事により、筒状体２の回動を規制する為の回動規制手段を形成する他の実施の形態も採用できる。図６の（Ａ）の如く、本体１の上面にバネ８が内蔵されたケース９を設置して、筒状体２の側面に、押付部材７をバネ８にて押し付ける形態を採用した場合には、筒状体２の回動時の抵抗を高く設定する事ができる。押付部材７の材質には、弾性及び耐磨耗性に優れた材質が好適であり、例えば、硬質ゴム、熱可塑性エラストマー、合成樹脂発泡体等が採用できる。
【００５９】
また、図６の（Ｂ）の如く、本体１の上面に取手１７ａを有する固定部材１７が内蔵されたケース１９を設置して、筒状体２の側面の溝部２ｃに固定部材１７をスライドさせて固定する他の実施の形態を採用した場合には、筒状体２を本体１に一時固定する事ができる。なお、固定部材１７は、固定部材１７の凸部１７ｂを、ケース１９の穴部１９ａ、及び１９ｂに嵌合させる事により位置決めがされる。
【００６０】
また、実施例１では、突起３の材質として、熱可塑性エラストマーあるいは合成樹脂発泡体を採用できる。熱可塑性エラストマーあるいは合成樹脂発泡体からなる突起は、弾性を有している為、絨毯６のパイル６ａに接触して形状が変形する。変形した突起３は、絨毯６の表面６ｂ、内部６ｃ、底部６ｄのパイル６ａにたいして弾性が解除されるまで接触できる為、パイル６ａに付着した塵埃３６、３７、３５がパイル６ａから強力に掻き出される。また、突起３は、絨毯６の底部６ｄを傷つける事が無い。また、突起３は、変形した形状が元の形状に戻ろうとする反発力によりパイル６ａを押し付ける事ができる為、絨毯６の表面６ｂ、内部６ｃ、底部６ｄのパイル６ａに付着した塵埃３６、３７、３５を、パイル６ａから強力に剥離させる事ができる。
【００６１】
また、実施例１は、図７の（Ａ）あるいは（Ｂ）の如くの他の実施の形態も採用できる。図７の（Ａ）は、本体３１の両側に突起３を有する筒状体３２が形成された電気掃除機用吸込具３０である。電気掃除機用吸込具３０は、端部２４まで突起３を有する筒状体３２を形成できる為、絨毯６にたいして、端部２４まで筒状体３２を当接させながら回動できる。その為、端部２４まで、絨毯６の表面６ｂ、内部６ｃ、底部６ｄのパイル６ａに付着した塵埃３６、３７、３５を、パイル６ａから剥離させて吸引できる。
【００６２】
また、図７の（Ｂ）は、本体４１の両側に突起３を有する筒状体４２が形成された電気掃除機用吸込具４０である。電気掃除機用吸込具４０は、端部３４まで突起３を有する筒状体４２を形成できる為、電気掃除機用吸込具３０と同じ要領にて、端部３４まで、絨毯６の表面６ｂ、内部６ｃ、底部６ｄのパイル６ａに付着した塵埃３６、３７、３５を、パイル６ａから剥離させて吸引できる。
【００６３】
実施例１の形態は、上記の如くの構成となっている為、本体１を絨毯６の表面６ｂにて前後に操作する事により、筒状体２は絨毯６に当接しながら回動できる。また、筒状体２の外周面に複数の突起３が形成されてある為、複数の突起３が、絨毯６のパイル６ａの内部６ｃに入り込むと共に突起３の先端がパイル６ａの底部６ｄに到達できる。また、突起３の先端、及び筒状体２の外周面に、本体１の吸引通路１ａに連通する吸引穴３ａ、及び吸引穴２ａが形成されてある為、絨毯６のパイル６ａの底部６ｄに付着した塵埃３５を、吸引穴３ａ、及び吸引穴２ａから本体１の吸引通路１ａを介して、電気掃除機本体１０に吸引できる。また、突起３は絨毯６のパイル６ａの表面６ｂ、内部６ｃ、底部６ｄ、内部６ｃ、表面６ｂの順にて連続的に回動しながら前後に移動できる為、絨毯６のパイル６ａの表面６ｂ、内部６ｃ、底部６ｄのいずれの箇所に付着した塵埃３６、３７、３５であっても、吸引穴３ａ、及び吸引穴２ａから本体１の吸引通路１ａを介して、電気掃除機本体１０に吸引できる。
【００６４】
また、突起３は、概円錐形状にて形成されてある為、絨毯６のパイル６ａの表面６ｂを、上から押し潰す事無く、パイル６ａの隙間から内部に入り込んで、パイル６ａの底部６ｄに到達できる。また、突起３は、錐形状にて形成されてある為、例えば櫛歯形状の突起に比べて、突起３がパイル６ａの内部６ｃに入り込んで底部６ｄに到達し、再び表面６ｂに出てくるまでの一連の移動時における、突起３のパイル６ａにたいする抵抗力を低減できる。その為、突起３がパイル６ａに絡み付く事を防止できる。また、本体１を、極めて弱い操作力にて前後に操作する事ができる。
【００６５】
また、外周面に角部２３ｂを有する概角錐形状の突起２３あるいは外周面に角部３３ｂを有する異形錐形状の突起３３を採用した場合には、角部２３ｂあるいは角部３３ｂが、パイル６ａに付着した塵埃３６、３７、３５を掻き出す事により、絨毯６の表面６ｂ、内部６ｃ、底部６ｄのパイル６ａに付着した塵埃３６、３７、３５を、パイル６ａから剥離させる事ができる。また、斜面に細長形状の吸引穴６３ａを有する概偏平三角錐形状にて形成されてあると共に、角部６３ｂが形成されてある突起６３を採用した場合には、角部６３ｂがパイル６ａに付着した塵埃３６、３７、３５を掻き出すと共に、細長形状の吸引穴６３ａが、絨毯６の表面６ｂ、内部６ｃ、底部６ｄのパイル６ａに付着した塵埃３６、３７、３５を、同時、かつ瞬時に吸引する事ができる。
【００６６】
また、突起３は、吸引穴３ａが突起３の先端部に形成されてある為、突起３がパイル６ａの底部６ｄに到達した時には、吸引穴３ａから底部６ｄに付着した塵埃３５を、極めて近い距離に位置された吸引穴３ａから、本体１の吸引通路１ａを介して電気掃除機本体１０に吸引できる。
【００６７】
また、吸引穴３ａは、筒状体２の円周方向にたいして傾斜角度を有して突起３の先端部に形成されてある為、吸引穴３ａは、突起３の先端部が底部６ｄに接触した時には、底部６ｄにたいして、傾斜角度を有して吸引穴３ａの外周面の一部が接触できる。その為、吸引穴３ａは、底部６ｄに吸い付く事が無く、底部６ｄの塵埃３５を効率的、かつ迅速に吸引できる。また、傾斜角度を有する吸引穴３ａの外周面は、パイル６ａに付着した塵埃３６、３７、３５をすくい上げるようにして掻き出すので、塵埃３６、３７、３５がパイル６ａから効率的に、かつ確実に取り除かれ、電気掃除機本体１０に吸引されていき、掃除性能が飛躍的に向上する。
【００６８】
また、本体１に、筒状体２に内接する内筒１ｄを形成すると共に、内筒１ｄの外周面に、内筒１ｄの長手方向にたいして平行な開口１ｃを形成し、本体１の内筒１ｄの外周面に突起３を有する筒状体２の内周面が挿入されてある為、本体１は、開口１ｃに連通している吸引穴３ａ以外の吸引穴３ａからの吸引を遮蔽する事ができる。その為、電気掃除機用吸込具２０を、開口１ｃが絨毯６の上部になるように設置して操作する事により、絨毯６の表面６ｂ、内部６ｃ、底部６ｄのパイル６ａに付着した塵埃３６、３７、３５を、絨毯６に接触している吸引穴３ａのみから本体１の内筒１ｄに形成された開口１ｃを介して、吸引通路１ａに連通し、電気掃除機本体１０に吸引する事ができる。また、上記の如く、吸引穴３ａからの吸引を遮蔽する遮蔽手段の無い場合に比べて、より強い吸引力にて、効率的に塵埃３６、３７、３５を吸引する事ができる。
【００６９】
また、本体１の外周面に掻出片１ｂが形成されてある為、本体１を前後に移動させる事により、パイル６ａの側面に接触して塵埃３６、３７、３５を掻き出す事ができる。また、掻出片１ｂは、配列の乱れたパイル６ａを梳く事によりパイル６ａの毛並みを整えて整列させる事ができる。
【００７０】
また、吸引穴５３ａの外周部に掻出片５３ｆが形成された突起５３、及び側面に掻出片５３ｇが形成された突起５３を採用した場合には、掻出片５３ｆ及び掻出片５３ｇが、パイル６ａに付着した塵埃３６、３７、３５を掻き出す事により、絨毯６の表面６ｂ、内部６ｃ、底部６ｄのパイル６ａに付着した塵埃３６、３７、３５を、パイル６ａから剥離させる事ができる。特に、掻出片５３ｆは、パイル６ａの底部６ｄに付着した塵埃３５を掻き出す事により、絨毯６の底部６ｄに付着した塵埃３５を底部６ｄから剥離させる事ができる。
【００７１】
また、本体１の上面にバネ８が内蔵されたケース９を設置して、筒状体２の側面に、押付部材７をバネ８にて押し付ける他の実施の形態を採用した場合には、筒状体２の回動時の抵抗を高く設定する事ができる。また、筒状体２に形成された突起３が、パイル６ａにたいして高い抵抗力にて接触し、パイル６ａに付着した塵埃３６、３７、３５を掻き出す事ができると共に、突起３が連続的に絨毯６の表面６ｂ、内部６ｃ、底部６ｄのパイル６ａに接触する事ができる。その為、絨毯６の表面６ｂ、内部６ｃ、底部６ｄのパイル６ａに付着した塵埃３６、３７、３５をパイル６ａから掻き出す事ができると共に、連続的に剥離させる事ができる。
【００７２】
また、本体１の上面に取手１７ａを有する固定部材１７が内蔵されたケース１９を設置して、筒状体２の側面の溝部２ｃに固定部材１７をスライドさせて固定する形態を採用した場合には、筒状体２を本体１に一時固定する事ができる。また、本体１を前後に移動させる事により、筒状体２に形成された突起３が、パイル６ａに付着した塵埃３６、３７、３５を掻き出す事により、絨毯６の表面６ｂ、内部６ｃ、底部６ｄのパイル６ａに付着した塵埃３６、３７、３５をパイル６ａから剥離させる事ができる。
【００７３】
また、突起３の材質として、熱可塑性エラストマーあるいは合成樹脂発泡体を採用した場合には、熱可塑性エラストマーあるいは合成樹脂発泡体は、弾性を有している為、突起３は、絨毯６の表面６ｂ、内部６ｃ、底部６ｄのパイル６ａに接触して形状が変形する事ができる。変形した突起３は、絨毯６の表面６ｂ、内部６ｃ、底部６ｄを傷つける事が無い。また、突起３は、変形した形状が元の形状に戻ろうとする反発力により、パイル６ａを押し付ける事ができる為、絨毯６の表面６ｂ、内部６ｃ、底部６ｄのパイル６ａに付着した塵埃３６、３７、３５をパイル６ａから強力に剥離させる事ができる。
【００７４】
また、上記実施例１で述べた電気掃除機用吸込具２０を、ホース１４、延長管１５を通して電気掃除機本体１０に接続することで、集塵性能に優れた電気掃除機を提供することが出来る。
【００７５】
実施例１の形態は、上記の如くの構成となっているが、筒状体にたいする突起の形成状態については、筒状体の外周面に放射状に形成されてある以外にも、筒状体の外周面に形成された複数の突起の配列が、筒状体の軸の周りに螺旋状の配列になるように突起を形成できる。また、放射状以外にも、規則性無く、複数の突起を形成できる。また、突起の高さについても、複数種類の高さの突起を形成する形態も採用できる。
【００７６】
また、吸引穴の形成箇所についても、突起の外周面、突起の先端、筒状体の外周面以外にも、本体の外周面、本体の側面、筒状体の側面に形成する形態も採用できる。また、掻出片１ｂの形状についても、略櫛歯形状以外にも、掻出し機能を有する形状であるならば、いかなる形状も採用できる。
【００７７】
また、遮蔽手段についても、内筒１ｄの外周面にて吸引穴２ａ、３ａを遮蔽する形態以外にも、例えば、吸引穴２ａ、３ａに開閉可能な蓋を形成して、吸引穴２ａ、３ａが筒状体２の下部に位置する時には、蓋が開いて吸引すると共に、吸引穴２ａ、３ａが筒状体２の上部に位置する時には、蓋が閉じて吸引しない機構を採用する事もできる。
【００７８】
また、筒状体と突起の形成状態については、熱可塑性エラストマー、合成樹脂発泡体、軟質樹脂、軟質ゴム等にて、筒状体と突起が一体的になるように一部品にて形成する形態も採用できる。また、筒状体をアルミニウム合金、ステンレス鋼等の硬質材料にて形成すると共に、突起を軟質材料にて形成する形態も採用できる。
【産業上の利用可能性】
【００７９】
以上のように、本発明に係る電気掃除機用吸込具及び電気掃除機は、筒状体の外周面の複数の突起が絨毯のパイルの内部に入り込むと共に、突起の先端がパイルの底部に到達し、絨毯のパイルの表面、内部、底部のいずれの箇所に付着した塵埃であっても、確実にすくい上げ、塵埃は突起に形成された吸引穴から本体の吸引通路を介して、電気掃除機本体に吸引されるので、塵埃の除去性能に非常に優れたものである。その為、電気掃除機に限らず、回動部材を用いて塵埃や他の目的物を収集または回収する各種機器に適用できる。
【図面の簡単な説明】
【００８０】
【図１】実施例１における電気掃除機用吸込具を接続した電気掃除機の側面図
【図２】図１の電気掃除機用吸込具を前面側から見た斜視図
【図３】（Ａ）図１の電気掃除機用吸込具の使用時において吸引穴が絨毯の底部に到達した時の断面図、（Ｂ）図１の電気掃除機用吸込具の使用時において吸引穴が絨毯の内部に到達した時の断面図
【図４】（Ａ）先端部に吸引穴を有する四角錐形状の突起の斜視図、（Ｂ）先端部に吸引穴を有すると共に、２箇所の角部を有する概半円形状の断面の異形錐形状の突起の斜視図、（Ｃ）吸引穴の無い先端部を有すると共に、外周面の中間部及び外周部の底面に吸引穴を有する円錐形状の突起の斜視図、（Ｄ）吸引穴の外周部及び側面に掻出片を有する円錐形状の突起の斜視図、（Ｅ）角部を有すると共に、斜面に細長形状の吸引穴を有する概偏平三角錐形状の突起の斜視図
【図５】図１の電気掃除機用吸込具の掻出片の使用時の詳細図
【図６】（Ａ）筒状体の回動時の抵抗を高く設定できる回動規制手段の詳細図、（Ｂ）筒状体を本体に一時固定できる回動規制手段の詳細図
【図７】（Ａ）本体の両側に筒状体が形成された他の実施の形態の電気掃除機用吸込具を前面側から見た斜視図、（Ｂ）本体が筒状体の片側のみに形成された他の実施の形態の電気掃除機用吸込具を前面側から見た斜視図
【符号の説明】
【００８１】
１、３１、４１  本体  １ａ  吸引通路  １ｂ、５３ｆ、５３ｇ  掻出片
１ｃ  開口  １ｄ  内筒  ２、３２、４２  筒状体
２ａ、３ａ、２３ａ、３３ａ、４３ａ、４３ｃ、５３ａ、６３ａ  吸引穴
２ｃ  溝部  ３、２３、３３、４３、５３、６３  突起  ６  絨毯
６ａ  パイル  ６ｂ  表面    ６ｃ  内部  ６ｄ  底部  ７  押付部材
８  バネ  ９、１９  ケース部    １０  掃除機本体  １１  集塵室
１２  電動送風機  １３  電動送風機室  １４  ホース
１４ａ  ハンドルパイプ  １５  延長管  １７  固定部材  １７ａ  取手
１７ｂ  凸部  １９ａ、１９ｂ  穴部
２０、３０、４０  電気掃除機用吸込具  ２３ｂ、３３ｂ、６３ｂ  角部
２４、３４  端部  ３５、３６、３７  塵埃
【図１】
0004496163.tif 000002
【図２】
0004496163.tif 000003
【図３】
0004496163.tif 000004
【図４】
0004496163.tif 000005
【図５】
0004496163.tif 000006
【図６】
0004496163.tif 000007
【図７】
0004496163.tif 000008